(57)【要約】ワークチェアは、足部上の支柱により高さ調節可能に支持され、少なくとも一部分が、実質的に水平に配置された座部と、使用者の背中を直立姿勢にするように調節し得る背もたれと、を備え、支柱（３）は、３つの部分（４、５、６）からなり、その結果、座部の高さの２段階調節が可能になることと、後部（７）が固定されかつ実質的に水平な位置を常時保つように、座部が２つの部分（７、８）に分かれ、また、前部（８）が後部に対してヒンジ留めされることと、前部（８）が支柱（３）に、ロッド（９）をヒンジ（１０）留め式に留めることによりヒンジ（１１）留め式に留められることとを特徴とする。体格の大きさに拘わらず、実質的に全ての使用者が人間工学的な作業位置を取り、ワークステーションを広げ得るような寸法のチェアにし得る。
2007507281.tif 000002
【特許請求の範囲】
【請求項１】
ワークチェアであって、
足部上の支柱により高さ調節可能に支持され、少なくとも部分的に、実質的に水平に配置される座部と、
使用者の背中を直立姿勢にする、調節可能な背もたれと、
を備え、
前記支柱（３）は、３つの部分（４、５、６）からなる結果、前記座部の高さが２段階に調節されること、
前記座部は、２つの部分（７、８）に分かれており、後部（７）が、固定され常時実質的に水平な位置を保ち、また前部（８）が、前記後部に対してヒンジ留めされること、および
前記前部（８）が、ヒンジ（１０）留め式に留められたロッド（９）により、ヒンジ（１１）留め式に前記支柱（３）に留められること、
を特徴とするワークチェア。
【請求項２】
前記前部（８）は、前記支柱（３）の前記第２の支持体（５）に前記ロッド（９）によりヒンジ留め式に留められることを特徴とする請求項１に記載のワークチェア。
【請求項３】
前記支柱の第１の支持体の寸法は、前記座部の前記固定部（７）により決定される前記座部の高さが下腿の長さに基づいて個々に設定されるような寸法であることを特徴とする請求項１または２に記載のワークチェア。
【請求項４】
前記支柱の第２の支持体は、さらに、直立した体幹に対する大腿の曲りの値が１３０°になる、最大高さに調節されることを特徴とする請求項３に記載のワークチェア。
【請求項５】
前記背もたれは、脊柱の場所を支持しない２つの部分（１６、１６’）を含むことを特徴とする請求項１から４のいずれかに記載のワークチェア。
【請求項６】
前記背もたれには、前記背もたれ部分（１６、１６’）を前方に押し出す受動的ばねシステム（１９）が設けられていることを特徴とする請求項５に記載のワークチェア。
【発明の詳細な説明】
【技術分野】
【０００１】
本発明は、ワークチェアに関し、当該ワークチェアは、高さを調節し得るように足部の支柱により支持される座部と、調節可能な背もたれと、を備え、座部は、少なくとも一部分が、実質的に水平になっており、背もたれは、使用者の背中を直立姿勢にさせる。
【背景技術】
【０００２】
高さ調節可能な全てのチェアの目的は、作業領域に容易に到達させることである。例えば、このタイプの作業領域は、テーブルまたは机、動くベルトまたは製造ステーション、患者の椅子または手術台であり得る。
【０００３】
このタイプのワークチェアの多数のデザインが、知られている。身長に個人差があることから、種々の形状であって、同様に座部もいくぶん調節しかつ／または傾斜させ得る、高さ調節可能なワークチェアに行き着いた。しかしながら、従来、実際に個々人の体格を十分に考慮したワークチェアが開示されたことはなかった。殆どのチェアは、背の高い使用者には小さ過ぎ、または背の低い使用者には大き過ぎる。
【０００４】
さらに、通常の座部の位置を高くして（この座部の寸法により異なる）座ると、血管系および筋肉系に望ましくない圧力が作用してしまう。
【０００５】
人間の下肢および骨盤の複合体は、人が直立姿勢で立ち歩行するように自然に設計されている。したがって、動作の方向と反対側の筋肉が収縮する、と解剖学マニュアルでは説明される。よって、下腿が前方にあるとき、後側の筋肉が収縮し、大腿が後方にあるとき、筋肉の前側が収縮し、骨盤が前方にあるとき、筋肉の後側が収縮し、大腿および下腿は、膝で相互に旋回し、大腿と骨盤とは、股関節において同一化している。これらの解剖学上の事実は、膝の裏側に、大腿から下腿へ鋭利に画定された移行部が存在することを意味し、また、骨盤から大腿への移行部が、水平方向の臀部のひだの形態の比較的丸い境界線を有することを意味する。このひだは、部分的に臀部の筋肉および大腿の筋肉に従属している。解剖学の面から見ると、着座姿勢は、骨盤の２つの半体の坐骨結節において支持を行うことを特徴とする。力学の面から見ると、平衡のとれた着座姿勢のためには、大腿骨の位置が水平になりかつ下腿の位置が垂直になることが、最も好都合である。
【０００６】
解剖学的および力学的データは、動きやすさとは無関係である。後者は、大腿の支持の程度、すなわち座部が後方へ傾斜する程度と、背中の支持の程度とにより部分的に決定される。
【０００７】
しかしながら、この情報は、ワークチェアをデザインするときには関連性がないか、または異なる関連性を有する。ここで、最初のポイントに必要なのは、人体を損傷しないようにまたは人体の運動連鎖に負荷を掛け過ぎずに、能動的な作業姿勢にする、すなわち、頭または首を直立姿勢にし、肩を対称的な位置にし、また、上腕を前方へ動かし、下腕または手を水平位置に対して上方へ動かすことができなければならないことである。
【発明の開示】
【発明が解決しようとする課題】
【０００８】
これらを考慮すると、本発明の目的は、大腿および下腿の個々の長さにより解剖学的に許容されるように、作業領域に対して着座位置の作業高さを最適化し最大にすることである。特に、本発明の目的は、実質的に全ての体格の使用者に、すなわち、身長が異なる使用者ばかりでなく、身体の部位、すなわち下腿、大腿および背中の長さが異なる使用者にも、これを適用することである。さらには、本発明では、垂直方向の位置における体幹に対する大腿の位置を９０°から１３０°まで高さ調節して変更する必要がある。
【課題を解決するための手段】
【０００９】
したがって、本発明は、以下の条件で達成され、開発中のワークチェアの調節には、以下の条件を満たす必要がある。
１）チェアが、作業領域に対する能動的な着座位置における作業を可能にするものでなければならないこと。
２）チェアが、人の身長と体重との比に関連して調節し得るものでなければならないこと。
３）チェアが、選択されたまたは目的とする作業領域の位置において最大限の支持を提供するものでなければならないこと。
４）チェアが、最大限の支持を安定化させる選択肢を提供するものでなければならないこと。
【００１０】
本発明に係るチェアは、基本的なコンセプトにおいて、支柱が座部の高さを２段階に調節し得ることと、後部が固定されているとともに実質的に水平な位置を常時保ち、また前部が後部に対してヒンジ留めされるように、座部が分かれていることと、ロッドを支柱にヒンジ式に固定することにより、前部が支柱にヒンジ留め式に固定されていること、とを特徴とする。
【００１１】
第１の高さ調節によって、下腿の長さに基づく座部高さの個別の設定が決定される。
【００１２】
第２の高さ調節によって、チェアを、本発明が目的とする範囲内において、背の低い使用者の使用に適するものにするが、ワークステーションを広げる選択肢も提供する。座部が分かれるようにデザインすることによって、確実に最大の高さに調節することができ、また、第２の高さ調節中に、座部の前部を連続して低くすることができるので、大腿の解剖学的構造体に大きな力がかからない。
【００１３】
Ｄｉｎｅｄ２００３の１頁から９９頁の、Ｄｕｔｃｈ  ｔａｂｌｅｓ  ｆｏｒ  ｈｅｉｇｈｔ  ａｎｄ  ｗｉｄｔｈ  ｄｉｍｅｎｓｉｏｎｓ  ｏｆ  ｔｈｅ  Ｄｕｔｃｈ  ｐｏｐｕｌａｔｉｏｎに含まれている、全ての点で使用者に適切な寸法のチェアにし得る。オランダ人は、世界で最も背が高い２つの国の国民の一方であるので、世界中での使用に適切となるように調節し得ることが考慮される。
【００１４】
米国特許第３，４４５，５３２号明細書および米国特許第５，４０１，０７７号明細書は、固定部と、固定部に対してヒンジ留めされた前部とを座部が有するチェアを、開示している。本発明の他の特徴は、これらの明細書からは知られていない。
【００１５】
典型的な実施形態を概略図示した添付の図面を参照して本発明を以下に説明する。
【発明を実施するための最良の形態】
【００１６】
３つの部分からなる支柱３が、足部１上に配置され、当該足部１は、少なくとも５０ｃｍの中央軸において、既知の方法で、一組の車輪２などで動かされ得る。支柱の伸縮部をそれぞれ４、５および６で示す。
【００１７】
上方支柱６が、坐骨を支持するための、座部の固定部７を支持している。大腿を支持するための前方座部８を、固定された後部７に対してヒンジ留めして、座部を分けることができる。
【００１８】
座部８は、ロッド９により安定させている。このロッドは、座部８の下側に配置されたヒンジ１０から、中央の中間支柱５上のヒンジ留め式固定位置１１に向かって延びている。中央の中間支柱５のみを図１に示すように引き上げている限り、座部７、８は、平坦なままである。第３の支柱６を引き上げた場合、図２に最も高い位置を示すように、ロッド９は、前方座部８を傾斜位置へ引っ張る。
【００１９】
全体を１２で示す背もたれが、上部支柱６に配置されている。支柱６に固定された固定ロッド１４と、上向きに延びるロッド１５との間の摺動連結部１３によって、使用者の骨盤と接触する背もたれ１２の部品の高さを調節し得るとともに、ロッド１５を傾斜させることにより、固定された座部７の後縁に対して前後に動かし得る。
【００２０】
さらに、ロッド１７によって、背もたれ部分１６を前後に調節し得る。ロッド１５とロッド１７との間の連結部１８は、それ自体は既知の機構により垂直方向のロッド１５を傾斜させると、ロッド１７が水平方向の位置に保持されることを、保証する。
【００２１】
背もたれは、連結部１７の前において２つの半体１６、１６’に分かれていることを特徴とする（図３を参照）。このように２つの部分に分かれていることによって、背もたれが、脊柱と接触することが妨げられる。２つの支持用背もたれ半体１６、１６’は、点線および矢印Ｐで示すように、受動的ばねシステム１９によりある距離だけ前方に回動して押し出される。半体は、次に、圧力を軽くかけられて、相互に一直線になるように押し戻され得、この一直線の位置は、実線で示している。全体として、背もたれ部１６、１６’と使用者の骨盤の２つに分かれた部分との接触を受動的に支持することになる。
【００２２】
骨盤の支持部をこのようにデザインすることによって、解剖学的および神経生理学的データに基づいて個々に設定を行って、座部７から座部８への移行部に水平方向の臀部のひだが精確に配置されるような座り方ができる。その形状は、遠位側の部分に丸みをつけて背もたれ半体を若干長くすることにより変化させ得る。
【００２３】
寸法は、以下のように選択できる。座部７および座部８を水平方向に配置する場合、支柱４および５の高さを３５ｃｍから５５ｃｍに調節し得る。座部７の長さを（前または後方向に）１５ｃｍにし、座部８の長さを２０ｃｍにする。背もたれ１２（部分１６および１６’）の、骨盤の縁までの高さは、１５ｃｍから２５ｃｍまでである。背もたれは、座部７の後縁に対して１２ｃｍ前方向または後方向に変化させ得る。これは、座部７の前記後縁に対して＋６ｃｍと、−６ｃｍとに分けられる。
【００２４】
支柱の第３の支持体、すなわち支柱６は、最大約２０ｃｍさらに上昇することになる。種々の程度上昇させることによって、ロッド９は、水平方向の臀部のひだが保持されている限り坐骨結節および支持部に関して有効な座部７とともに、座部の前方部８を図１に示す９０°と図２に示す最大１３０°との間の傾斜位置に引っ張る。
【００２５】
よって、要約すると、本発明は、以下の新規な方法を提供する。
ａ）座部を分け得ること、
ｂ）実質的にすべての使用者の体格のために、人間工学的に信頼できる方法で、最大値まで、個々に高さを調節可能であること、
ｃ）腸骨稜の上縁に対して背もたれの位置を調節可能であること、
ｄ）実際の筋骨格の骨盤の幅に基づいて、横方向の背もたれ部の位置を調節可能であること、
ｅ）補償動作の調節を妨げるために、脊柱の場所を支持しないこと、
を含む。
【００２６】
このワークチェアによって、種々の作業条件下で、大腿を水平に配置した能動的な着座位置から始まる、人間工学的に適切な着座位置を用い得る。高さ調節を二重に行うことによって、大腿を適切に支持しながら個々の水平方向の座部面より上の２０ｃｍにまで動かすことができる。
【図面の簡単な説明】
【００２７】
【図１】中間位置にあるチェアの側面図である。
【図２】最も高い位置にあるチェアの側面図である。
【図３】背もたれの平面図である。
【図１】
2007507281.tif 000003
【図２】
2007507281.tif 000004
【図３】
2007507281.tif 000005
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
ワークチェアであって、
足部上の支柱により高さ調節可能に支持され、少なくとも部分的に、実質的に水平に配置される座部と、
使用者の背中を直立姿勢にする、調節可能な背もたれと、
を備え、
前記支柱（３）は、３つの部分（４、５、６）からなる結果、前記座部の高さが２段階に調節されること、
前記座部は、２つの部分（７、８）に分かれており、後部（７）が、固定され常時実質的に水平な位置を保ち、また前部（８）が、前記後部に対してヒンジ留めされること、および
前記前部（８）が、ヒンジ（１０）留め式に留められたロッド（９）により、ヒンジ（１１）留め式に前記支柱（３）の第２の支持体（５）に留められること、
を特徴とするワークチェア。
【請求項２】
前記支柱の第１の支持体の寸法は、前記座部の前記固定部（７）により決定される前記座部の高さが下腿の長さに基づいて個々に設定されるような寸法であることを特徴とする請求項１に記載のワークチェア。
【請求項３】
前記支柱の第２の支持体は、さらに、直立した体幹に対する大腿の曲りの値が１３０°になる、最大高さに調節されることを特徴とする請求項２に記載のワークチェア。
【請求項４】
前記背もたれは、脊柱の場所を支持しない２つの部分（１６、１６’）を含むことを特徴とする請求項１から３のいずれかに記載のワークチェア。
【請求項５】
前記背もたれには、前記背もたれ部分（１６、１６’）を前方に押し出す受動的ばねシステム（１９）が設けられていることを特徴とする請求項４に記載のワークチェア。
【国際調査報告】
2007507281.tif 000006
2007507281.tif 000007
2007507281.tif 000008